(57)【特許請求の範囲】
【請求項１】
被検眼の前眼部の画像と、前記被検眼の断層画像とを取得する眼科装置を有する眼科システムであって、
前記前眼部の画像および前記断層画像を表示手段に表示させる表示制御手段と、
前記表示手段上の一部を指す指標の前記表示手段上での位置を判断する判断手段と、
前記指標が前記前眼部の画像上にあると前記判断手段により判断された場合には前記被検眼と前記眼科装置との距離を変更する指示を行い、前記指標が前記断層画像上にあると前記判断手段により判断された場合にはコヒーレンスゲートの位置を変更する指示を行う指示手段と、
を備えることを特徴とする眼科システム。
【請求項２】
前記眼科装置は、前記被検眼の眼底の画像を取得し、
前記表示制御手段は、前記眼底の画像を前記表示手段に表示させ、
前記指示手段は、前記指標が前記眼底の画像上にあると前記判断手段により判断された場合には前記眼底におけるフォーカスの位置を変更する指示を行うことを特徴とする請求項１に記載の眼科システム。
【請求項３】
前記指示手段の指示量に対応する変更量で変更する変更手段を有し、
前記変更手段は、
前記指標が前記前眼部の画像上にあると前記判断手段により判断された場合には前記距離を前記変更量で変更し、
前記指標が前記断層画像上にあると前記判断手段により判断された場合には前記コヒーレンスゲートの位置を前記変更量で変更し、
前記指標が前記眼底の画像上にあると前記判断手段により判断された場合には前記眼底におけるフォーカスの位置を変更することを特徴とする請求項２に記載の眼科システム。
【請求項４】
前記指標が前記前眼部の画像上にあると前記判断手段により判断された場合には前記距離が所定値未満になったら前記変更量を小さくする制御手段を備えることを特徴とする請求項３に記載の眼科システム。
【請求項５】
前記指示手段は前記指標が前記表示手段上の前記断層画像が表示される領域上にあると前記判断手段により判断された場合に前記コヒーレンスゲートの位置を変更する指示を行い、
前記断層画像が前記領域に表示されたら前記変更量を小さくする制御手段を備えることを特徴とする請求項３に記載の眼科システム。
【請求項６】
前記指標が前記眼底の画像上にあると前記判断手段により判断された場合には前記眼底の画像の低周波数成分が所定量より少なくなったら前記変更量を小さくする制御手段を備えることを特徴とする請求項３に記載の眼科システム。
【請求項７】
前記指示量は、前記指示手段のスクロール操作による単位時間当たりのステップ数であり、
前記変更手段は、前記ステップ数に対応する前記変更量を小さくすることを特徴とする請求項４乃至６のいずれか１項に記載の眼科システム。
【請求項８】
前記眼科装置が、測定光を照射した前記被検眼からの戻り光と、前記測定光に対応する参照光とを合波した合波光に基づいて前記被検眼の断層画像を取得し、
前記コヒーレンスゲートの位置の変更は、前記測定光と前記参照光との光路長差の変更であることを特徴とする請求項１乃至７のいずれか１項に記載の眼科システム。
【請求項９】
被検眼の前眼部の画像と、前記被検眼の眼底の画像とを取得する眼科装置を有する眼科システムであって、
前記前眼部の画像および前記眼底の画像を表示手段に表示させる表示制御手段と、
前記表示手段上の一部を指す指標の前記表示手段上での位置を判断する判断手段と、
前記指標が前記前眼部の画像上にあると前記判断手段により判断された場合には前記被検眼と前記眼科装置との距離を変更する指示を行い、前記指標が前記眼底の画像上にあると前記判断手段により判断された場合には前記眼底におけるフォーカスの位置を変更する指示を行う指示手段と、
を備えることを特徴とする眼科システム。
【請求項１０】
請求項１乃至９のいずれか１項に記載の眼科システムの各機能をコンピュータに実行させることを特徴とするプログラム。
【請求項１１】
被検眼の前眼部の画像と前記被検眼の断層画像とを取得する取得手段と、
前記前眼部の画像および前記断層画像を表示する表示手段上の一部を指す指標の前記表示手段上での位置を判断する判断手段と、
前記指標が前記前眼部の画像上にあると前記判断手段により判断された場合には指示手段の指示量に対応する変更量で前記被検眼と前記取得手段との距離を変更し、前記指標が前記表示手段における前記断層画像上にあると前記判断手段により判断された場合には前記指示手段の指示量に対応する変更量でコヒーレンスゲートの位置を変更する変更手段と、
を備えることを特徴とする眼科装置。
【請求項１２】
被検眼の前眼部の画像と、前記被検眼の眼底の画像とを取得する取得手段と、
前記前眼部の画像および前記眼底の画像を表示する表示手段上の一部を指す指標の前記表示手段上での位置を判断する判断手段と、
前記指標が前記前眼部の画像上にあると前記判断手段により判断された場合には指示手段の指示量に対応する変更量で前記被検眼と前記取得手段との距離を変更し、前記指標が前記表示手段における前記眼底の画像上にあると前記判断手段により判断された場合には前記指示手段の指示量に対応する変更量でフォーカスの位置を変更する変更手段と、
を備えることを特徴とする眼科装置。
【請求項１３】
取得手段が被検眼の前眼部の画像と前記被検眼の断層画像とを取得する取得工程と、
判断手段が前記前眼部の画像および前記断層画像を表示する表示手段上の一部を指す指標の前記表示手段上での位置を判断する判断工程と、
変更手段が、前記指標が前記前眼部の画像上にあると前記判断工程において判断された場合には指示手段の指示量に対応する変更量で前記被検眼と前記取得手段との距離を変更し、前記指標が前記表示手段における前記断層画像上にあると前記判断工程において判断された場合には前記指示手段の指示量に対応する変更量でコヒーレンスゲートの位置を変更する変更工程と
を備えることを特徴とする制御方法。
【請求項１４】
取得手段が被検眼の前眼部の画像と前記被検眼の眼底の画像とを取得する取得工程と、
判断手段が前記前眼部の画像および前記眼底の画像を表示する表示手段上の一部を指す指標の前記表示手段上での位置を判断する判断工程と、
変更手段が、前記指標が前記前眼部の画像上にあると前記判断工程において判断された場合には指示手段の指示量に対応する変更量で前記被検眼と前記取得手段との距離を変更し、前記指標が前記表示手段における前記眼底の画像上にあると前記判断工程において判断された場合には前記指示手段の指示量に対応する変更量でフォーカスの位置を変更する変更工程と、
を備えることを特徴とする制御方法。
【請求項１５】
請求項１３または請求項１４に記載の制御方法の各工程をコンピュータに実行させることを特徴とするプログラム。
【発明の詳細な説明】
【技術分野】
【０００１】
本発明は、眼科診療等に用いられる眼科システムに関する。
【背景技術】
【０００２】
近年、低コヒーレンス光による干渉を利用して断層画像を撮像する光干渉断層法（ＯＣＴ：Ｏｐｔｉｃａｌ  Ｃｏｈｅｒｅｎｃｅ  Ｔｏｍｏｇｒａｐｈｙ）を用いる装置（以下、ＯＣＴ装置とも呼ぶ。）が実用化されている。これは、被検査物に入射する光の波長程度の分解能で断層画像を撮像できるため、被検査物の断層画像を高分解能で得ることができる。ＯＣＴ装置は、特に、眼底に位置する網膜の断層画像を得るための眼科装置として有用である。
ここで、検者がマウスを操作することにより、ＯＣＴ断層画像を表示する表示画面上にカーソルを合わせた後、コヒーレンスゲートの位置調整を行うことが、特許文献１に開示されている。
【先行技術文献】
【特許文献】
【０００３】
【特許文献１】特開２００９−１６０１９０号公報
【発明の概要】
【発明が解決しようとする課題】
【０００４】
一般的に、ＯＣＴ装置による断像画像を取得する前には、前眼部のアライメント、眼底のフォーカス位置、コヒーレンスゲート位置等の調整が必要である。これらの調整に時間がかかると、ＯＣＴの本撮影までに時間がかかり、被検者に負担がかかる。そこで、検者がこれらの調整を効率的に行うために、マウス等の操作性を向上させることが好ましい。
【課題を解決するための手段】
【０００５】
本発明に係る眼科システムは、
被検眼の前眼部の画像と、前記被検眼の断層画像とを取得する眼科装置を有する眼科システムであって、
前記前眼部の画像および前記断層画像を表示手段に表示させる表示制御手段と、
前記表示手段上の一部を指す指標の前記表示手段上での位置を判断する判断手段と、
前記指標が前記前眼部の画像上にあると前記判断手段により判断された場合には前記前眼部と前記眼科装置との距離を変更する指示を行い、前記指標が前記断層画像上にあると前記判断手段により判断された場合にはコヒーレンスゲートの位置を変更する指示を行う指示手段と、を備える。
【発明の効果】
【０００６】
本発明によれば、表示手段上の複数の画像をそれぞれ表示する表示領域がある場合に、該表示手段上の一部を指す指標（例えば、カーソル）が位置する表示領域の画像に対応した調整（変更）の指示を行うことができる。このため、表示画面上で指標を移動させることで各調整を簡易に行うことができる。これにより、マウス等の操作性が向上するため、本撮影までの時間を短縮でき、被検者への負担を減らすことができる。
【図面の簡単な説明】
【０００７】
【図１】本実施形態に係る眼科システムの測定画面を説明するための図である。
【図２】本実施形態に係る眼科装置の各構成を説明するための図である。
【図３】本実施形態に係る眼科システムの各構成が実行する工程を説明するためのフロー図である。
【発明を実施するための形態】
【０００８】
本実施形態に係る眼科システム（あるいは眼科装置）によれば、表示手段の複数の画像をそれぞれ表示する表示領域がある場合に、該表示手段上の一部を指す指標（例えば、カーソル）が位置する表示領域の画像に対応した調整（変更）の指示を行うことができる。このため、表示画面上で指標を移動させることで各調整を簡易に行うことができる。これにより、マウス等の操作性が向上するため、本撮影までの時間を短縮でき、被検者への負担を減らすことができる。
【０００９】
ここで、コヒーレンスゲートとは、測定光の光路における参照光の光路に対応する位置のことである。このため、光路長差変更部により、測定光と参照光との光路長差を変更することにより、コヒーレンスゲートの位置を変更することができる。なお、光路長変更部としては、参照ミラーの位置を光軸方向に移動する構成や、被検眼に対して装置を光軸方向に移動する構成等が考えられ、例えば、参照ミラーや装置に設けた移動ステージである。
【００１０】
（装置の概略構成）
本実施形態に係る眼科装置の概略構成について、眼科装置の側面図である図２（ａ）を用いて説明する。前眼部画像および眼底の２次元画像および断層画像を取得するための測定光学系である光学ヘッド９００は、図中ＸＹＺ方向にモータ等により移動するステージ部９５０（移動部とも呼ぶ。）を用いて、後述の分光器を内蔵するベース部９５１に対して移動することができる。また、ステージ部９５０の制御部を兼ねるパソコン９２５は、ステージ部の制御とともに断層画像の構成等を行う。９２６は被検者情報記憶部を兼ね、断層撮像用のプログラムなどを記憶するハードディクである。また、不図示の表示制御部は、取得された画像等をモニタ等の表示部９２８に表示させる。また、９２９はパソコンへの指示を行う入力部であり、具体的にはキーボードとマウス（ポインティングデバイスとも呼ぶ）から構成される。３２３はあご台であり、被検者のあごと額とを固定する。
【００１１】
（測定光学系および分光器の構成）
次に、本実施形態に係る眼科装置の測定光学系および分光器の構成について図２（ｂ）を用いて説明する。
まず、光学ヘッド９００部の内部について説明する。被検者の被検眼１０７に対向して対物レンズ１３５−１が設置され、その光軸上で第１ダイクロイックミラー１３２−１および第２ダイクロイックミラー１３２−２によってＯＣＴ光学系の光路３５１、眼底観察と固視灯用の光路３５２および前眼部観察用の光路３５３とに波長帯域ごとに分岐される。また、光路３５２は、第３ダイクロイックミラー１３２−３によって眼底観察用のＣＣＤ１７２および固視灯１９１への光路へと上記と同じく波長帯域ごとに分岐される。ここで、１３５−３，１３５−４はレンズであり、１３５−３は固視灯および眼底観察用の合焦調整のため不図示のモータによって駆動される。ＣＣＤ１７２は不図示の眼底観察用照明光の波長、具体的には７８０ｎｍ付近に感度を持つものである。一方固視灯１９１は可視光を発生して被検者の固視を促すものである。なお、眼底観察用の光学系は、走査型レーザ検眼鏡（ＳＬＯ：Ｓｃａｎｉｎｇ  Ｌａｓｅｒ  Ｏｐｈｔｈａｌｍｏｓｃｏｐｅ）等の光学系により構成しても良い。また、光路３５３において１３５−２はレンズ、１７１は前眼観察用の赤外線ＣＣＤである。このＣＣＤ１７１は不図示の前眼観察用照明光の波長、具体的には９７０ｎｍ付近に感度を持つものである。また、光路３５３には、不図示のイメージスプリットプリズムが配置されており、被検眼１０７に対する光学ヘッド９００部のＺ方向の距離を、前眼観察画像中のスプリット像として検出することができる。
【００１２】
また、光路３５１は、前述の通りＯＣＴ光学系を成しており被検眼１０７の眼底の断層画像を取得するためのものである。より具体的には断層画像を形成するための干渉信号を得るものである。１３４は光を眼底上で走査するためのＸＹスキャナである。ＸＹスキャナ１３４は一枚のミラーとして図示してあるが、ＸＹの２軸方向の走査を行うものである。１３５−５，１３５−６はレンズであり、そのうちのレンズ１３５−５は、光カプラー１３１に接続されているファイバー１３１−２から出射する光源１０１からの光を眼底１０７上に合焦調整をするために不図示のモータによって駆動される。この合焦調整によって眼底１０７からの光は同時にファイバー１３１−２先端にスポット状に結像されて入射されることとなる。
【００１３】
次に、光源１０１からの光路と参照光学系、分光器の構成について説明する。１０１は光源、１３２−４はミラー、１１５は分散補償用ガラス、１３１は前述した光カプラー、１３１−１〜４は光カプラーに接続されて一体化しているシングルモードの光ファイバー、１３５−７はレンズ、１８０は分光器である。これらの構成によってマイケルソン干渉系を構成している。光源１０１から出射された光は光ファイバー１３１−１を通り、光カプラー１３１を介して光ファイバー１３１−２側の測定光と光ファイバー１３１−３側の参照光とに分割される。測定光は前述のＯＣＴ光学系光路を通じ、観察対象である被検眼１０７の眼底に照射され、網膜による反射や散乱により同じ光路を通じて光カプラー１３１に到達する。一方、参照光は光ファイバー１３１−３、レンズ１３５−７、測定光と参照光の分散を合わせるために挿入された分散補償ガラス１１５を介してミラー１３２−４に到達し反射される。そして同じ光路を戻り光カプラー１３１に到達する。光カプラー１３１によって、測定光と参照光は合波されて干渉光（合波光とも呼ぶ。）となる。ここで、測定光の光路長と参照光の光路長がほぼ同一となったときに干渉を生じる。ミラー１３２−４は不図示のモータおよび駆動機構によって光軸方向に調整可能に保持され、被検眼１０７によって変わる測定光の光路長に参照光の光路長を合わせることが可能である。干渉光は光ファイバー１３１−４を介して分光器１８０に導かれる。また、１３９−１は、光ファイバー１３１−２中に設けられた測定光側の偏光調整部である。１３９−２は光ファイバー１３１−３中に設けられた参照光側の偏光調整部である。これらの偏光調整部は光ファイバーをループ状に引き回した部分を幾つか持ち、このループ状の部分をファイバーの長手方向を中心として回動させることでファイバーにねじりを加えることで測定光と参照光の偏光状態を各々調整して合わせることが可能なものである。本装置では予め測定光と参照光の偏光状態が調整されて固定されている。分光器１８０はレンズ１３５−８、１３５−９、回折格子１８１、ラインセンサ１８２から構成される。光ファイバー１３１−４から出射された干渉光はレンズ１３５−８を介して略平行光となった後、回折格子１８１で分光され、レンズ１３５−３によってラインセンサ１８２に結像される。
【００１４】
次に、光源１０１の周辺について説明する。光源１０１は代表的な低コヒーレント光源であるＳＬＤ（Ｓｕｐｅｒ  Ｌｕｍｉｎｅｓｃｅｎｔ  Ｄｉｏｄｅ）である。中心波長は８５５ｎｍ、波長バンド幅は約１００ｎｍである。ここで、バンド幅は、得られる断層画像の光軸方向の分解能に影響するため、重要なパラメータである。また、光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等も用いることができる。中心波長は眼を測定することを鑑みると、近赤外光が適する。また、中心波長は得られる断層画像の横方向の分解能に影響するため、なるべく短波長であることが望ましい。双方の理由から中心波長を８５５ｎｍとした。
【００１５】
本実施形態では干渉計としてマイケルソン干渉計を用いたが、マッハツェンダー干渉計を用いてもよい。なお、測定光と参照光との光量差が比較的小さい場合には、分割部と合成部とが別々に設けられるマッハツェンダー干渉計よりも、分割部と合成部とが共通に設けられるマイケルソン干渉計を用いる方が望ましい。
【００１６】
（断層画像の取得方法）
続いて、断層画像の取得方法について説明する。不図示の制御部は、ＸＹスキャナ１３４を制御することで、被検眼１０７の眼底における所望部位の断層画像を取得することができる。まず、Ｘ方向に測定光１０５のスキャンを行い、眼底におけるＸ方向の撮像範囲から所定の撮像本数の情報をラインセンサ１８２で撮像する。Ｘ方向のある位置で得られるラインセンサ１８２上の輝度分布をＦＦＴし、ＦＦＴで得られた線状の輝度分布をモニタ９２８に示すために濃度あるいはカラー情報に変換したものをＡスキャン画像と呼ぶ。この複数のＡスキャン画像を並べた２次元の画像をＢスキャン画像と呼ぶ。１つのＢスキャン画像を構築するための複数のＡスキャン画像を撮像した後、Ｙ方向のスキャン位置を移動させて再びＸ方向のスキャンを行うことにより、複数のＢスキャン画像を得る。検者は、モニタ９２８に表示複数のＢスキャン画像あるいは複数のＢスキャン画像から構築した３次元断層画像を見ることにより、被検眼を診断ことができる。
【００１７】
（断層画像の撮像フロー）
断層画像を取得するための各調整について、図３のフロー図を用いて説明する。まず、ステップＳ１０１において、撮像（断層画像の取得）を開始する。パソコン９２５により撮像用プログラムが実行されてモニタ９２８に撮像用画面を起動する。同時にＸＹスキャナ１３４を動作させる。自動でステップＳ１０２に移行する。次に、ステップＳ１０２において、モニタ９２８に患者情報入力画面を表示し、検者は患者選択あるいは初診であれば患者情報入力を行う。検者によるマウス等の操作（患者情報入力画面に表示したＯＫボタンをマウスにてクリックするなど）によってステップＳ１０３に移行する。ステップＳ１０３において、モニタに検査パラメータ選択画面を表示し、検者は検査パラメータとして被検眼の左右、断層撮像をどの範囲で行うか、断層画像を何回撮像するか、Ｂスキャン画像に含まれるＡスキャン画像の数などを設定する。なお、断層画像撮像に関わる設定をスキャンパターンと呼ぶ。そして検者による操作（検査パラメータ選択画面に表示したＯＫボタンをマウスにてクリックするなど）によってステップＳ１０４に移行する。
【００１８】
（測定画面）
ステップＳ１０４で表示画面に表示される測定画面１０００について、図１を用いて説明する。まず、１１０１は前眼観察用ＣＣＤによって得られた前眼観察画面、１２０１は眼底観察用ＣＣＤによって得られた眼底観察用ＣＣＤによって得られた眼底２次元像表示画面、１３０１は取得された断層画像を確認するための断層画像表示画面である。また、被検眼の左右眼を切り替えるためのボタン１００１は、検者がＬボタンとＲボタンとのうちいずれか一方を押すと、該押された左右眼のいずれかの位置に光学ヘッド９００が移動される。また、検者がマウスを机上等で移動させた場合、この移動に連動してカーソル１００２の位置を移動させることができる。本実施形態に係る眼科装置において、位置検出部（不図示）によるカーソルの位置に応じてアライメント等を変更することができる。なお、位置検出部（不図示）は、表示画面上のカーソルの画素位置から、カーソルの位置を算出することができる。表示画面上には所定の範囲を設けておき、該所定の範囲の画素内にカーソルがある場合には、該所定の範囲で定められた調整を行うことができる。また、マウス操作は、マウスのホイールを回転させることにより行う。ここで、図１（ｂ）に示すように、一般的には、マウス９３０の上部にマウスホイール９３１が配置されている。このマウスホイール９３１を回転させることにより、アライメント等の各調整の指示を行うことができる。また、マウス９３０のドラッグ等の操作により、アライメント等の各調整の指示を行うこともできる。なお、アライメント等の各調整が終了した後に、検者が撮像ボタン１００３を押すことで所望の撮像が行われる。また、それぞれの画像の近傍に配置されているスライダは、調整を行うためのものである。スライダ１１０３は被検眼に対する光学ヘッドのＺ方向の位置を調整するもの、スライダ１２０３はフォーカス位置を調整するもの、スライダ１３０２はコヒーレンスゲート位置を調整するものである。フォーカス位置の調整は、眼底に対する合焦調整を行うために、レンズ１３５−３および１３５−５を図示の方向に移動する調整である。コヒーレンスゲート調整は、断層画像が断層画像表示画面の所望の位置で観察されるために、ミラー１３２−４を図示の方向に移動する調整である。また、これらのスライダは、それぞれの画像中においてマウス操作の際にも連動して動くようになっている。ステップＳ１０５において、カーソル１００２の位置を検出する。ここでは、カーソル１００２の画面上における位置を検出する。ステップＳ１０６において、カーソル１００２が複数ある範囲のうちいずれの範囲に位置するのかによって、進む工程が異なる。カーソル１００２が前眼観察画面上にある場合にはステップＳ１０７に、眼底観察画面上にある場合にはステップＳ１１５に、断層画面上にある場合にはステップＳ１１２に、それぞれ工程を進める。以下に、カーソルの位置する範囲と各調整との関係について具体的に記述する。
【００１９】
（前眼部のアライメントの調整）
ステップＳ１０６において、カーソル１００２が前眼観察画面（第１の領域とも呼ぶ。）１１０１上にあると判断された場合には、Ｓ１０７において、マウスのホイール操作を光学ヘッド９００のＸＹＺ方向の駆動を行う。なお、前眼観察画面１１０１上にはスプリット像１１０２が表示されており、被検眼と光学ヘッドの対物レンズとのＺ方向の距離（ワーキングディスタンス）を検出することができる。例えば、オートアライメントの場合には、前眼部のスプリット像の上下の画像が合致した後（すなわちＸＹ方向のアライメントが完了した後）に、ワーキングディスタンスが所望の距離になるように光学系の位置が自動的に調整される。手動操作が選択されており、カーソル１００２が前眼観察画面１１０１上に位置した場合には、マウス操作がワーキングディスタンス（光学ヘッドの対物レンズから被検眼までのＺ方向の距離）の調整を行う。また、ステップＳ１０８において、スプリット像のずれ量を検知する。スプリット像のずれ量を検知することで、ワーキングディスタンスの所望の距離からのずれ量を算出することできる。ずれ量が大きい場合には、光学ヘッド９００を被検眼に対して移動量（変更量とも呼ぶ。）を大きくさせ（粗アライメント）、逆に、ずれ量が小さい場合には、光学ヘッド９００の被検眼に対して移動量を小さくすること（微アライメント）が好ましい。このため、マウス等の指示部による指示量（例えば、マウスのスクロール量、スクロール操作による単位時間当たりのステップ数等。）に対する光学系の移動量（マウス操作の敏感度とも呼ぶ。例えば、上記単位時間当たりのステップ数に対する変更量のこと。）を変更する。スプリット像の上下の像における瞳孔のエッジを検出することで、瞳孔の中心位置を算出する。スプリット像の上下の画像における算出した瞳孔の中心位置を比較することにより、ずれ量を求めることができる。ここで、ステップＳ１０９において、スプリット像のずれ量が閾値以上か否かの判断を行う。上記で検知したずれ量を予め設定した閾値（所定値）と比較する。ステップＳ１１０において、上記ずれ量が閾値以上（所定値以上）の場合には上記移動量を大きく（マウス操作の敏感度を高く）して、粗アライメントを行う。また、ステップＳ１１１において、上記ずれ量が閾値未満（所定値未満）の場合には上記移動量を小さく（マウス操作の敏感度を低く）して、微アライメントを行う。この閾値は、予め設定してもよく、また検者が変更できるように設定しておいてもよい。また閾値を定めずに、スプリット像のずれ量に基づいてマウス操作の敏感度を変更してもよい。ステップＳ１１２において、上記で設定した移動量において、ワーキングディスタンス調整を行う。また、ステップＳ１１３において、ワーキングディスタンス調整が終了か否かの判断を行う。検者もしくはパソコン９２５が、スプリット画像が上下で合致していると判断した場合には、ステップＳ１１４のワーキングディスタンス調整終了となる。スプリット画像が上下で合致していないと判断した場合には、Ｓ１０９に戻る。以上により、前眼観察画面中でのアライメントを行う。
【００２０】
（眼底のフォーカス位置の調整）
ステップＳ１０６において、カーソル１００２が眼底観察画面（第２あるいは第３の領域とも呼ぶ。）１２０１上にあると判断された場合には、Ｓ１１５において、マウスのホイール操作をフォーカスレンズ１３５−３、１３５−５の駆動に割り当てる。眼底観察画面１２０１上には、予め設定した断層撮像範囲１２０２が表示されており、断層撮像範囲を確認することができる。この画像中にカーソル１００２を配置したときには、マウス操作がフォーカスレンズ１３５−３および１３５−５の駆動を行い、フォーカス調整に割り当てられるように構成されている。また、ステップＳ１１６において、フォーカス状態を検知する。眼底観察画面の周波数成分を解析することで、フォーカス状態を検知することを行う。ステップＳ１１７において、検知したフォーカス状態に低周波数成分が多いかどうかを判断する。眼底観察画面中に低周波数成分が多く含まれる場合には、合焦状態から遠いため、フォーカスレンズを大きく動かす必要がある。逆に眼底観察画面中に高周波数成分が多く含まれる場合には、合焦状態に近いため、精密なフォーカス調整が求められる。そのためマウス操作は、この違いを考慮して、マウス操作に対するフォーカス位置の移動量を変更する。眼底の構造により予め設定された二つの周波数成分（低周波数成分・高周波数成分）の量を算出し、両者の成分の量を比較することで、フォーカス状態を検知する。
【００２１】
ここで、ステップＳ１１７において、検知したフォーカス状態に低周波数成分が多いかどうかの判断を行う。上記で検知した二つの周波数成分の量を予め設定した低周波数成分用の閾値（所定量）、高周波数成分用の閾値（所定量）と比較する。ステップＳ１１８において、低周波数成分の量が閾値よりも多く、高周波数成分の量が閾値よりも少ない場合には、このフォーカス位置における眼底画像には低周波数成分が多いと判断することができる。この場合にはフォーカス位置の移動量（変更量とも呼ぶ。）を大きく設定する。また、ステップＳ１１９において、低周波成数分の量が閾値より少なく、高周波数数成分の量が閾値よりも多い場合には、このフォーカス位置における眼底画像には低周波数成分が少ないと判断することができる。この場合にはフォーカス移動量を小さく設定する。これにより精密なフォーカス位置の調整を行うことができる。なお、この閾値は、予め設定してもよく、また使用者が変更できるように設定しておいてもよい。また、二つの周波数成分に基づいてマウス操作の敏感度を一意的に定めてもよい。また、眼底上に投影した不図示のスプリット指標によるスプリット指標像のずれ量が閾値より大きいか小さいかを比較することで、上述のマウス操作の敏感度を変更してもよい。ステップＳ１２０において、上記で設定した移動量において、フォーカス調整を行う。ステップＳ１２１において、フォーカス調整が終了か否かの判断を行う。検者もしくはパソコン９２５が、フォーカス調整が所望の範囲内で調整されていると判断した場合には、ステップＳ１３０に進み、フォーカス調整を終了する。フォーカス調整が所望の範囲内で調整されていないと判断した場合には、Ｓ１１７に戻る。以上により、眼底観察画面中でのフォーカス調整を行う。
【００２２】
（コヒーレンスゲート位置の調整）
ステップＳ１０６において、カーソル１００２が断層画面（第２の領域とも呼ぶ。）１３０１上にあると判断された場合には、ステップＳ１２２において、マウスのホイール操作をコヒーレンスゲート１３２−４の駆動に割り当てる。断層画面１３０１中にカーソル１００２を位置した場合には、マウス操作によりコヒーレンスゲート位置を変更する。ステップＳ１２３において、断層画像の状態を検知する。
【００２３】
ここで、ステップＳ１２４において、断層画像が画面中に表示されているかどうかを判断する。コヒーレンスゲート位置の調整において、断層画像が断層画像表示画面に表示されている場合と表示されていない場合とで、マウス操作に対するコヒーレンスゲート位置の移動量（変更量とも呼ぶ。）を変更する。すなわち、断層画像が断層画像表示画面に表示されていない場合には、上記移動量を大きくし、表示されている場合には、上記移動量を小さくする。ラインセンサ１８２の出力を波数変換、フーリエ変換および必要な処理を行った後の断層像のＡスキャン情報を取得し、ノイズレベル以上の輝度値を持つか持たないかで上記の判断を行う。ステップＳ１２５において、ノイズレベル以上の輝度値を持つ場合には、断層画像が断層画像表示画面に表示されていると判断し、コヒーレンスゲート移動量を小さく設定する。ステップＳ１２６において、ノイズレベル以上の輝度がない場合には、断層画像が断層画像表示画面に表示されていないと判断し、コヒーレンスゲート移動量を大きく設定する。ステップＳ１２７において、上記で瀬手地したコヒーレンスゲート移動量でコヒーレンスゲート調整を行う。ステップＳ１２８において、コヒーレンスゲート調整が終了か否かの判断を行う。検者もしくはパソコン９２５が、コヒーレンスゲート調整が所望の範囲内で調整されていると判断した場合には、ステップＳ１２９のコヒーレンスゲート調整終了となる。コヒーレンスゲート調整が所望の範囲内で調整されていないと判断した場合には、Ｓ１２４に戻る。以上により、断層画面中でのコヒーレンスゲート調整を行う。
【００２４】
以上説明したように、本実施形態に係る眼科装置においては、画像を直接観察しながら必要な調整も行うことができるため、操作が簡単となり、また効率的に調整を行わせるものである。なお、以上はアライメント、フォーカス、コヒーレンスゲートの調整を手動で行う場合について説明したが、これらの調整をこの順番に自動で行っても良い。また、測定画面１０００において、これらの調整を手動で行う手動モードと自動で行う自動モードとのいずれか一方を検者が選択できるようにしても良い。このとき、自動モードが選択された場合に、自動で調整した後、自動的に手動モード（指示部による変更指示が可能なモード）が選択されるようにしても良い。これにより、自動で粗調整した後に手動で微調整することができるので、調整の効率が向上する。
【００２５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005241878.tif 000002
【図２】
0005241878.tif 000003
【図３】
0005241878.tif 000004